(57)【要約】【課題】ユーザによる入力設定を容易とする。【解決手段】携帯電話機１は、位置（経度、緯度）情報が符号化されてなる２次元バーコードを読み取るＣＣＤ２０と、現在位置を検出すべくＧＰＳ信号を受信するＧＰＳ受信装置１０２とを備え、制御部１００は、現在位置から前記位置情報が示す位置までの距離あるいは方角を算出し、前記距離あるいは方角を表示部１０８に表示させる。【選択図】      図３
2004221819.tif 000002
【特許請求の範囲】
【請求項１】
位置情報が符号化されてなる符合パターンを読み取る読取手段と、
現在位置を検出する位置検出手段と、
前記現在位置から前記位置情報が示す位置までの距離あるいは方角を算出する算出手段と、
前記距離あるいは方角を報知する報知手段と
を具備することを特徴とする携帯型情報機器。
【請求項２】
前記報知手段は、前記距離あるいは方角を文字により表示する
ことを特徴とする請求項１に記載の携帯型情報機器。
【請求項３】
前記符号パターンは、２次元バーコードにより示され、
前記読取手段は、前記符号パターンを光学的に読み取る
ことを特徴とする請求項１に記載の携帯型情報機器。
【請求項４】
前記携帯型情報機器は、携帯電話機である
ことを特徴とする請求項１乃至３のいずれかに記載の携帯型情報機器。
【発明の詳細な説明】
【０００１】
【発明の属する技術分野】
本発明は、携帯型の情報機器に関する。
【０００２】
【従来の技術】
従来から、表示部に、現在地周辺の地図、あるいは、目的地周辺の地図を表示し、ユーザに対して道案内する携帯型情報機器が提案されている（例えば、特許文献１）。このような携帯情報機器にあっては、ユーザが目的地を設定する場合には、操作キーを操作して入力設定するのが一般的である。
【０００３】
【特許文献１】
特開２００２−２４９８４号公報
【０００４】
【発明が解決しようとする課題】
しかしながら、携帯型情報機器にあっては、その筐体サイズの制限から、操作キーサイズが小さく、このような操作キーを操作して目的地等を逐一入力設定することは、ユーザにとって煩雑な作業であるといった問題がある。
本発明は、上述した事情に鑑みてなされたものであり、ユーザによる入力設定を容易とすることができる携帯型情報機器を提供することを目的とする。
【０００５】
【課題を解決するための手段】
上記目的を達成するために、本発明は、位置情報が符号化されてなる符合パターンを光学的に読み取る読取手段と、現在位置を検出する位置検出手段と、前記現在位置から前記位置情報が示す位置までの距離あるいは方角を算出する算出手段と、前記距離あるいは方角を報知する報知手段とを備える構成の携帯型情報機器を提供する。
この携帯型情報機器によれば、読取手段が符号パターンにより示される位置情報を読み取る構成であるため、ユーザは、操作キーなどにより位置情報を逐一入力する必要がなく、位置情報の入力を容易に行うことができる。
【０００６】
上記構成において、前記報知手段は、前記距離あるいは方角を文字により表示する構成が望ましい。この構成によれば、ユーザに報知すべき情報が文字のみで表示されるため、表示領域が狭い携帯型情報機器であっても、ユーザにとって報知すべき情報を認識し易くなる。
【０００７】
なお、前記符号パターンは、２次元バーコードにより示され、前記読取手段は、前記符号パターンを光学的に読み取る構成も望ましい。さらに、前記携帯型情報機器は、携帯電話機であっても良い。
【０００８】
【発明の実施の形態】
以下図面を参照して本発明の実施形態について説明する。本実施形態では、携帯型情報機器の一態様として携帯電話機１を例にして説明する。図１は、本実施形態にかかる携帯電話機１を表面から見た斜視図であり、図２は、携帯電話機１を背面から見た斜視図である。図１に示すように、携帯電話機１の表面には、従来の携帯電話機と同様に、テンキー１０と、操作キー１２と、表示パネル１３と、マイクロフォン１４と、スピーカ１５とが設けられている。テンキー１０は、文字あるいは数字を入力する手段であり、操作キー１２は、この携帯電話機１の動作設定および動作指示を入力する手段である。表示パネル１３は、液晶パネルから構成され、電話番号や文字、画像などの各種情報を表示する。マイクロフォン１４はユーザの音声を収音するものであり、また、スピーカ１５は送話者の音声や各種音を放音するものである。携帯電話機１の筐体上面には、アンテナ１６が伸縮自在に立設されている。一方、図２に示すように、携帯電話機１の背面には、固体撮像素子であるＣＣＤ（Ｃｈａｒｇｅ−Ｃｏｕｐｌｅｄ  Ｄｅｖｉｃｅｓ）２０が取り付けられている。本実施形態の携帯電話機１は、位置（経度・緯度）情報や目的地名などが符号化されてなる２次元バーコード２００（図５参照）をＣＣＤ２０により光学的に読み取り、その位置情報を取得する構成となっている。以下、かかる構成について詳述する。
【０００９】
図３は、携帯電話機１の機能的構成を示すブロック図である。この図において、制御部１００は、自機１の各部の動作制御や各種演算を実行するものであり、ＣＰＵ（Ｃｅｎｔｒａｌ  Ｐｒｏｃｅｓｓｉｎｇ  Ｕｎｉｔ）、ＲＡＭ（Ｒａｎｄｏｍ  Ａｃｃｅｓｓ  Ｍｅｍｏｒｙ）、ＲＯＭ（Ｒｅａｄ  Ｏｎｌｙ  Ｍｅｍｏｒｙ）を備えている。認識部１０４は、制御部１００の制御の下、上述のＣＣＤ２０によって画像情報として読み取られた２次元バーコード２００を２値化した後、誤り符号化処理やエラー訂正処理などを含む復号化処理を実行することでデコード（復号化）して位置情報を抽出し、制御部１００に出力するものである。なお、読み取り対象となるバーコードは、２次元バーコードに限らず、１次元バーコードであっても良いことは勿論である。
【００１０】
ＧＰＳ受信装置１０２は、制御部１００の制御の下、図示せぬＧＰＳ（ＧｌｏｂａｌＰｏｓｉｔｉｏｎｉｎｇ  Ｓｙｓｔｅｍ）衛星（測位衛星）からのＧＰＳ信号を受信して制御部１００に出力するものであり、ＧＰＳ信号（電波）を受信するためのＧＰＳアンテナ１０２ａの他、アナログ受信信号をデジタル信号に変換するためのＲＦ部やベースバンド部などを備えたＧＰＳ信号変換部１０２ｂを有している。制御部１００は、ＧＰＳ受信装置１０２から受け取ったＧＰＳ信号に基づいて自機１の現在位置情報（経度、緯度）を演算により取得する。また、制御部１００は、２次元バーコード２００をデコードして得られた位置情報と、ＧＰＳ信号から得られた自機１の現在位置情報とに基づいて、自機１の現在位置から、２次元バーコード２００が示す位置までの距離および方角（すなわち、相対位置関係）を算出する。
【００１１】
通信制御部１０６は、アンテナ１６を介して通信回線である移動体通信網（不図示）と通信接続され、通話音声や画像情報、文字情報などの各種情報を送受するものである。なお、移動体通信方式として、ＰＤＣ（Ｐｅｒｓｏｎａｌ  Ｄｉｇｉｔａｌ  Ｃｅｌｌｕｌａｒ）方式、ＧＳＭ（ｇｌｏｂａｌ  Ｓｙｓｔｅｍ  ｆｏｒ  Ｍｏｂｉｌｅ  Ｃｏｍｍｕｎｉｃａｔｉｏｎｓ）方式、ＰＨＳ（Ｐｅｒｓｏｎａｌ  Ｈａｎｄｙ−ｐｈｏｎｅ  Ｓｙｓｔｅｍ）方式、ＣＤＭＡ（Ｃｏｄｅ  Ｄｉｖｉｓｉｏｎ  Ｍｕｌｔｉｐｌｅ  Ａｃｃｅｓｓ）方式、あるいは、Ｗ−ＣＤＭＡ（Ｗｉｄｅｂａｎｄ−ＣＤＭＡ）方式といった任意の方式が用いられ得る。上述のマイクロフォン１４は、Ａ／Ｄ変換器などを備え、ユーザの音声をデジタル信号に変換して制御部１００に出力する。また、スピーカ１５は、Ｄ／Ａ変換器や信号増幅回路を備え、制御部１００から出力された音信号（音声信号や楽音信号）を拡声して外部に向けて放音する。表示部１０８は、上述の表示パネル１３の他、この表示パネル１３を駆動する駆動回路などを備え、制御部１００の制御の下、各種情報を表示する。また、上述のテンキー１０および操作キー１２は、ユーザによって操作される操作ボタンを複数備え（図１参照）、かかる操作を制御部１００に出力する。
【００１２】
次いで、本実施形態の動作について説明する。図５に示すように、目的地の位置（経度、緯度）を示す２次元バーコード２００が地図上に印刷または貼り付けられている場合、ユーザは、その２次元バーコード２００をＣＣＤ２０により撮像すべく、携帯電話機１の背面に設けられたＣＣＤ２０を２次元バーコード２００に対向させる。そして、ユーザが操作キー１２を操作して撮像指示を携帯電話機１に与えること、図４に示すように、携帯電話機１の制御部１００は、撮像指示を受け取り（ステップＳ１）、ＣＣＤ２０に２次元バーコード２００を撮像させる（ステップＳ２）。そして、制御部１００は、認識部１０４を制御して、この撮像された画像データを復号化させる（ステップＳ３）。これにより、目的地の位置情報が認識部１０４から制御部１００に出力される。
【００１３】
次いで、制御部１００は、ＧＰＳ受信装置１０２によって受信されたＧＰＳ信号に基づいて自機１の現在位置（経度、緯度）情報を算出して取得する（ステップＳ４）。そして、制御部１００は、自機１の現在位置から目的地までの距離および方角を、自機１の現在位置情報と目的地の位置情報とから算出し（ステップＳ５）、この算出結果を表示部１０８に表示させる。図６は、かかる表示の一例を示す図である。この図に示すように、本実施形態では、目的地までの距離、方角および目的地名が文字により表示される構成となっている。これにより、表示領域の狭い携帯型情報機器にあっても、これらの情報をユーザにはっきりと認識させることができる。なお、文字による表示に代えて、距離、方角あるいは目的地名を音声によって出力する構成としても良い。
【００１４】
以上説明したように、本実施形態によれば、ユーザは、操作キー１２を操作するなどして目的地の地名を入力したり、その位置情報を入力しなくとも、ＣＣＤ２０により２次元バーコード２００を撮像させるだけで、簡単に目的地の位置情報を入力することができる。
また、表示パネル１３には、目的地周辺を示す地図ではなく、現在地から目的地までの距離や方向などが文字により示されるように構成されているため、表示領域が狭い携帯型情報機器であっても、ユーザに示すべき情報（距離や方角）のみを、その表示領域いっぱいに表示することができ、ユーザが容易に情報を認識することができる。
【００１５】
上述した携帯電話機１の応用例としては、次のようなものがある。例えば、図７に示すように、目的地名（建物や市町村名など地図に掲載される地名）と位置（経度、緯度）情報とを対応付けて記憶すると位置情報データベース５ａと、位置情報から２次元バーコードデータを生成する機能とを備えたサーバコンピュータ５をインターネット６に接続する。このインターネット６には、ユーザが所有するパーソナルコンピュータ（以下、単に「ＰＣ」と称する）７が接続されている。この構成において、ユーザは、ＰＣ７を用いて、インターネット６を介してサーバコンピュータ５から所望の目的地に対応する２次元バーコードデータを取得し、ＰＣ７に接続されたプリンタ装置８にて２次元バーコード２００を印刷する。そして、地図などに、その２次元バーコード２００を貼り付けておき、現在地から目的地までの距離や方角を知る必要が生じた場合に、その２次元バーコード２００を携帯電話機１に読み取らせ、それら距離や方角を表示させる。この応用例によれば、ユーザは、所望の目的地に対応する２次元バーコード２００を容易に得ることができる。また例えばユーザが登山などする場合に、コース上の目印となる目的地毎に２次元バーコード２００を印刷し、地図上の対応箇所に予め貼り付けておき、登山時に、必要に応じて順次２次元バーコード２００を携帯電話機１に読み取らせ、現在地から目的地までの距離や方角を表示させることで、迷うことなくコースを進むことができる。なお、携帯電話機１は、ＧＰＳ信号を用いて現在位置の高度をも算出し、表示するようにしても良い。また、ユーザが方角を特定できるようにコンパス（磁針）などが設けられても良い。
【００１６】
＜変形例＞
上述した実施形態は、本発明の一態様を示すものであり、本発明の範囲内で任意に変形可能である。例えば、上述した実施形態において、本発明が適用される携帯型情報機器の一例として携帯電話機を例示したが、これに限らず、例えばＰＤＡ（Ｐｅｒｓｏｎａｌ  Ｄｉｇｉｔａｌ  Ａｓｓｉｓｔａｎｔｓ）や腕時計などであっても良い。要するに、本発明は、自器の現在位置を検出する手段と、目的地の位置情報を読み取る手段と、自器の現在位置から目的地までの距離あるいは方角を算出する手段とを備えていれば、任意の携帯型情報機器に適用することが可能である。なお、上述した実施形態では、ＧＰＳ信号を受信して現在位置を検出する構成を例示したが、これに限らず、例えば携帯電話機を収容する移動通信網の基地局と通信して現在位置の情報を取得する構成であっても良い。
【００１７】
また、図８に示すように携帯型情報機器１’の形状を、小型のペン形状としても良い。具体的には、小型ペン形状の携帯型情報機器１’の基体は、略筒形状をなし、その頭頂部にはＣＣＤ２０が設けられ、また、基体側面には表示パネル１３が設けられている。このように携帯型情報機器１’の形状を小型ペン形状とすることで、携帯性が向上し、登山など何時でも携帯が可能となる。なお、形状を小型ペン形状とする場合には、その筐体サイズの制限から、ＣＣＤ２０の受光面積が制限され、２次元バーコード２００のサイズによっては、ＣＣＤ２０の読み取り領域に収まらないこともある。この場合には、携帯型情報機器１’がＣＣＤ２０により２次元バーコード２００に代えて１次元バーコードを読み取り目的地を取得する構成とすれば良い。また、筐体サイズの制限から、小型ペン形状の携帯型情報機器１’に表示パネル１３を設けることが困難な場合には、現在地から目的地までの距離や方角を音声により出力する構成としても良いし、また、ＦＭ電波、Ｂｌｕｅｔｏｏｔｈ（登録商標）等を用いた近距離無線通信でヘッドフォンなどのスピーカを備えた他の装置に送信する構成としても良い。
【００１８】
上述した実施形態では、バーコードの読み取りにより目的地が入力される構成について例示したが、目的地の入力の態様は、これに限らない。具体的には、携帯電話機１（携帯型情報機器１’）がＩＣ（Ｉｎｔｅｇｒａｔｅｄ  Ｃｉｒｃｕｉｔ）メモリを備え、複数の２次元バーコード２００から読み取った位置情報の各々を目的地名と対応付けてＩＣメモリに予め記憶する。さらに携帯電話機１（携帯型情報機器１’）は、文字認識機能を更に備え、地図に記載された文字（目的地名）をＣＣＤ２０により光学的に画像データとして読み取り、この画像データから文字認識により目的地名を取得し、この目的地名に対応する位置情報をＩＣメモリから読み出してユーザに報知する。なお、携帯電話機１（携帯型情報機器１’）が音声認識機能を備え、ユーザが読み上げた目的地名を音声認識により取得する構成であっても良い。さらに、本変形例において、携帯電話機１（携帯型情報機器１’）が２次元バーコード２００に代えて、１次元バーコードから目的地の位置情報を取得する構成であっても良い。また、携帯電話機１（携帯型情報機器１’）は、実施形態にて述べたインターネット６に接続されたサーバコンピュータ５から得られた位置情報を直接ＩＣメモリに予め記憶する構成であっても良い。
【００１９】
上述した実施形態では、図６に示すように、目的地までの距離、方角および目的地名が文字により表示される構成について例示したが、表示の態様は、これに限らない。すなわち、ユーザが表示部１０８に表示された内容を確実に視認できる範囲で、図像を用いた簡易な地図表示であっても良い。
【００２０】
【発明の効果】
以上説明したように、本発明によれば、ユーザによる入力設定を容易とすることができる携帯型情報機器が提供される。
【図面の簡単な説明】
【図１】本発明の実施形態にかかる携帯電話機の表面を示す斜視図である。
【図２】同携帯電話機の背面を示す斜視図である。
【図３】同携帯電話機の機能的構成を示すブロック図である。
【図４】同携帯電話機の動作手順を示すフローチャートである。
【図５】同携帯電話機に２次元バーコードを読み取らせる態様を示す図である。
【図６】同表示の一態様を示す図である。
【図７】本発明の応用例を説明するための図である。
【図８】本発明の携帯型情報機器の他の態様を示す図である。
【符号の説明】
１…携帯電話機、１’…携帯型情報機器、１２…操作キー、１５…スピーカ、２０…ＣＣＤ、１００…制御部、１０２…ＧＰＳ受信装置、１０４…認識部、１０８…表示部、２００…２次元バーコード
【図１】
2004221819.tif 000003
【図２】
2004221819.tif 000004
【図３】
2004221819.tif 000005
【図４】
2004221819.tif 000006
【図５】
2004221819.tif 000007
【図６】
2004221819.tif 000008
【図７】
2004221819.tif 000009
【図８】
2004221819.tif 000010